(57)【要約】【課題】洗浄水用の温度調整の機能がない給湯器を利用しても、洗浄水として、熱湯など噴射されないように洗浄水の温度を自動調整可能とし、メーカ毎に異なる給湯器でも対応可能な洗浄装置を実現する。【解決手段】給湯器５から供給される温水と洗剤とを混合して洗浄水として、洗浄ノズルに供給する洗浄ユニット３と、洗浄ユニット３の洗浄水の供給動作等を制御する制御装置２６とを備え、制御装置２６は、温水の流量を規定値に調整する一方、所定のエラー条件を検出したとき、即ち洗浄動作開始時に、温度検知手段が第１の上限温度以上を検知したとき、又は洗浄動作開始時に、以前の洗浄動作の際、温度検知手段が第１の上限温度以上を検知したときは、温水の流量を規定値から一定値減少させて、所定時間温水を排出する温水排出動作を行う。【選択図】図１
2010099194.tif 000002
【特許請求の範囲】
【請求項１】
温水供給源から供給される温水と、洗剤供給部から供給される洗剤とを混合して洗浄水として、洗浄ノズルに供給する洗浄ユニットと、洗浄ユニットの洗浄動作を制御する制御手段とを備えた洗浄装置であって、洗浄ユニットが温水の温度を検知する温度検知手段と、温水の流量を調整する流量調整手段とを備え、制御手段は通常の洗浄動作として、温水の流量を規定値に調整する一方、所定のエラー条件を検出したときは、温水の流量を規定値から一定値減少させて、所定時間温水を排出する温水排出動作を行うことを特徴とする洗浄装置。
【請求項２】
請求項１記載の洗浄装置であって、所定のエラー条件は、洗浄動作開始時に、温度検知手段が第１の上限温度以上を検知したことであることを特徴とする洗浄装置。
【請求項３】
請求項１記載の洗浄装置であって、所定のエラー条件は、洗浄動作開始時に、以前の洗浄動作の際、温度検知手段が第１の上限温度以上を検知したことであることを特徴とする洗浄装置。
【請求項４】
請求項２または３記載の洗浄装置であって、制御手段は温水排出動作が終了し、温度検知手段が第１の上限温度より低い第２の上限温度以下を検知したとき、通常の洗浄動作に復帰することを特徴とする洗浄装置。
【請求項５】
請求項１から４のいずれかに記載の洗浄装置であって、制御手段が、温水供給源が温水温度管理手段を備えていない場合に対応する第１の制御モードと、温水供給源が温水温度管理手段を備えている場合に対応する第２の制御モードとを備え、第１の制御モードと第２の制御モードとの切り替えが可能であることを特徴とする洗浄装置。
【発明の詳細な説明】
【技術分野】
【０００１】
本発明は、温水の温度を検知して洗浄制御を行う浴槽洗浄装置において、高温検知時に、温水排出動作を行う洗浄装置に関する。 
【背景技術】
【０００２】
従来、浴槽の温水を排水してから、浴槽の内面に温水を噴射して洗浄する浴槽洗浄装置が知られている。浴槽洗浄装置では、洗浄に噴射される温水の温度が高温すぎると、浴槽近辺にいる利用者に熱湯がかかりやけどするという問題が生じる。
【０００３】
そこで、従来、洗浄のための温水の温度を温度センサで検知して制御する手段が設けられている。例えば、温水を供給する給湯器自体に温水の温度を自動的に調整する湯自動調整装置が付設され、給湯器からの温水の温度を制御して浴槽洗浄装置に給湯する構成が知られている。
【０００４】
また、浴槽洗浄装置として、給湯管を分岐し、分岐通路に温度センサ等をユニット化して設けたものが知られている（特許文献１参照）。
【０００５】
また、温度センサを備えた浴槽洗浄装置において、給水側管路から供給される水と、温水側管路から供給される温水を混合して指定の温度の温水を作り出すものが知られている（特許文献２参照）。
【０００６】
【特許文献１】実開平５−３９４６６号公報
【特許文献２】実開平４−６８７６４号公報
【発明の開示】
【発明が解決しようとする課題】
【０００７】
従来の浴槽洗浄装置では、温水を供給する給湯器側で浴槽洗浄のための温度調整できる構成のものを利用する場合もあるが、給湯器側で温度調整できない構成のものもある。後者のように、給湯器側で温度調整をできない場合には、浴槽洗浄装置において、温水の温度や給湯量を検知しながら、熱湯が洗浄ノズルから噴射されないように制御する必要がある。
【０００８】
この発明は、洗浄開始時に生じやすい高温の温水が洗浄水として洗浄ノズルに送られ噴射されることを防止し、しかも、特に、洗浄用の温度調整の機能がない給湯器を温水供給源として利用しても、高温の温水が噴射されないよう温度管理されていない給湯器でも対応可能な浴槽洗浄装置を実現することを課題とする。
【課題を解決するための手段】
【０００９】
本発明は上記課題を解決するために、温水供給源から供給される温水と、洗剤供給部から供給される洗剤とを混合して洗浄水として、洗浄ノズルに供給する洗浄ユニットと、洗浄ユニットの洗浄動作を制御する制御手段とを備えた洗浄装置であって、洗浄ユニットが温水の温度を検知する温度検知手段と、温水の流量を調整する流量調整手段とを備え、制御手段は通常の洗浄動作として、温水の流量を規定値に調整する一方、所定のエラー条件を検出したときは、温水の流量を規定値から一定値減少させて、所定時間温水を排出する温水排出動作を行うことを特徴とする洗浄装置提供する。
【００１０】
所定のエラー条件としては、洗浄動作開始時に、温度検知手段が第１の上限温度以上を検知したことと、洗浄動作開始時に、以前の洗浄動作の際、温度検知手段が第１の上限温度以上を検知したことの２つのエラー条件があるが、これらの２つのエラー条件のうち、いずれかを検出したときには、温水の流量を規定値から一定値減少させて、所定時間温水を排出する温水排出動作を行う構成とすることが好ましい。
【００１１】
制御手段は、温水排出動作が終了し、温度検知手段が第１の上限温度より低い第２の上限温度以下を検知したとき、通常の洗浄動作に復帰するような構成とすることが好ましい。
【００１２】
制御手段が、温水供給源が温水温度管理手段を備えていない場合に対応する第１の制御モードと、温水供給源が温水温度管理手段を備えている場合に対応する第２の制御モードとを備え、第１の制御モードと第２の制御モードとの切り替えが可能である構成とすることが好ましい。
【発明の効果】
【００１３】
本発明に係る洗浄装置によれば、温水温度を検知するサーミスタを設け、洗浄動作を開始した際に、所定のエラー条件（洗浄動作開始時に温度検知手段が第１の上限温度以上であると検知したこと、又は以前の洗浄動作の際、温度検知手段が第１の上限温度以上を検知したこと）を検出した場合には、温水の流量を通常洗浄動作を行う規定値から一定値減少させて温水を排出する構成としたので、高温の温水が通常の洗浄動作量で供給されて洗浄ノズルから噴射されることが防止され、やけど等の危険を防止できる。特に、配管内に高温の温水が残留していても、洗浄ノズルから予期しない多い量の高温の洗浄水が噴射されるようなことも防止できる。
【００１４】
また、本発明に係る洗浄装置では、洗浄用の温度管理機能がない給湯器を温水供給源として利用しても、温水供給源からの温水の温度を検知し、温水排出動作を行うことで、温水供給源として利用でき、給湯器の形式、機種の範囲が広がり、給湯器が既設のものでも温水供給源として利用可能となる。
【発明を実施するための最良の形態】
【００１５】
本発明に係る洗浄装置を実施するための最良の形態を実施例に基づき図面を参照して、以下説明する。
【実施例１】
【００１６】
（全体構成）
図１は、本発明の浴槽の洗浄装置の実施例１において、洗浄ノズルに洗浄水を供給する全体構成を説明するブロック図である。この図１に示すように、本発明の浴槽洗浄装置は、浴槽１に取り付けられる洗浄ノズル２と、洗浄ノズル２に洗浄水を供給する浴槽洗浄のための温水の供給動作等を行う洗浄ユニット３と、洗浄ユニット３に洗剤を供給する洗剤供給部である洗剤タンク４と、洗浄ユニット３に温水を供給する温水供給源である給湯器５とを備えている。
【００１７】
給湯器５は、水を加熱し温水として供給する装置であり、通常は、浴槽１、水栓６、台所等に給湯する給湯器が使用される。この給湯器５には、水道管７から水道水が供給され、また追い焚き用の配管８を通して浴槽１からの温水も供給され、加熱されて浴槽用供給管９から浴槽１に温水が供給される。給湯器５は、洗浄リモコン１０、浴室リモコン１１、台所リモコン１２等の操作によって、制御される。
【００１８】
給湯器５から温水供給管１５を通して洗浄ユニット３及び水栓６に温水を供給する。洗浄ノズル２は、浴槽１の内面に向けて洗浄水を噴射するノズルであり、洗浄水供給管１３を介して洗浄ユニット３のベンチュリ１４に接続されている。洗浄ユニット３は、ケース内に次に説明するような各機器がユニット化して設けられている。
【００１９】
洗浄ユニット３は、水通路部１７を有しており、この水通路部１７に、順次、フィルタ１８、サーミスタ付き水量サーボ弁１９、流量センサ２０、注湯電磁弁２１、逆止弁２２、２つの縁切り弁２３、２３、逆止弁２４及びベンチュリ１４が配置されている。さらに、洗浄ユニット３は、ベンチュリ１４に連通する洗剤電磁弁２５を備えている。
【００２０】
サーミスタ付き水量サーボ弁１９は、水量サーボ弁３６とサーミスタ３７とから成る。水量サーボ弁３６は、流量調整手段として、制御装置２６（本発明の「制御手段」）からの流量調整信号を受けて温水の流量を調整する。サーミスタ３６は、温度検知手段として、給湯器５から供給される温水の給湯温度を検知してそのデータを制御装置２６に送信する。  
【００２１】
水通路部１７に設けられた各機器は、制御装置２６の信号入力部及び信号出力部にそれぞれ接続されて、制御装置２６によって制御される。制御装置２６及び制御装置２６による発明の特徴である洗浄水の温度、供給量を制御する構成の詳細については後記するが、ここでは、制御装置２６により洗浄装置を制御する全体構成について説明する。
【００２２】
制御装置２６からの洗浄開始信号が注湯電磁弁２１に送られると注湯電磁弁２１が開き、給湯器５から温水供給管１５を通して、洗浄ユニット３内に温水が送られる。洗浄ユニット３のフィルタ１８は、給湯器５から出湯された温水を受けてろ過し、流量センサ２０が温水の瞬間的な流量（流量／時間）を計量して計量信号を制御装置２６に送信する。
【００２３】
制御装置２６は、その計量値を水量サーボ弁３６に送信し、水量サーボ弁３６はその計量値に応じて適宜、弁の開閉度合いを制御し、洗浄ノズル２が噴射するに適した流量となるように刻々と制御する。２つの逆止弁２２、２４は洗浄水の逆流を防止し、縁切り弁２３、２３は、負圧発生時に逆止弁２２、２４で止水された洗浄水を水通路部１７から洗浄ユニット３外に排水管を通して排出する。
【００２４】
洗剤タンク４は、洗剤液を入れるタンクであり、洗剤液の充填状態は、フロートスイッチ２７で検知されており、充填量が少なくなったらその検知信号を制御装置２６に送信し、制御装置２６で洗剤切れ信号を発生するように構成されている。
【００２５】
制御装置２６は、洗浄リモコン１０で操作されるが、この操作に応じて、浴槽１の洗浄時には、浴槽１の洗浄のために注湯電磁弁２１が開き、洗浄水である温水を洗浄ノズル２に一定量供給する。そして、制御装置２６は、注湯電磁弁２１が開いている間、洗剤電磁弁２５を開くように制御し、洗剤液を洗剤供給管２８を通してベンチュリ１４に供給する。ベンチュリ１４に供給された洗剤液は、ベンチュリ１４を通過する温水に混入される。これによって、洗剤入りの洗浄水が調製されて洗浄ノズル２に供給される。
【００２６】
本発明の洗浄装置の全体構成は、以上のとおりであるが、本発明の洗浄装置の特徴的な構成を以下、図２〜図４において、その動作フローとともに説明する。本発明の洗浄装置では、制御装置２６の制御によって、図２及び図３のフローチャートに示す洗浄動作を行う構成とした。
【００２７】
制御装置２６は、具体的には、図４に示すように、信号入力部３０、ＣＰＵ３１、記憶部３２、タイマ３３及び信号出力部３４等を備え、これらが互いにデータバス３５で接続されているマイコンが利用される。
【００２８】
信号入力部３０は、サーミスタ３７（温度検知手段）、流量センサ２０、フロートスイッチ２７、洗浄リモコン１０、給湯器５等に信号線を介して接続され、信号出力部３４は、水量サーボ弁３６、注湯電磁弁２１、洗剤電磁弁２５、自動排水栓３８、洗浄リモコン１０、及び給湯器５等に接続されている。
【００２９】
（洗浄動作の全体的なフロー）
図２及び図３に示すフローチャートの動作は、それぞれ記憶部３２に搭載される洗浄動作を制御するソフトによって行われる。本発明の洗浄装置の特徴は、後記する流量制限制御動作（給湯温度が高い場合に流量を絞って高温水を排水する動作：図３参照）を行う構成であるが、この流量制限制御動作の前提となる洗浄動作の全体的なフローを、図２に示すフローチャートにおいて説明する。
【００３０】
洗浄リモコンにより運転スイッチ（運転ＳＷ）をＯＮし、さらに洗浄スイッチ（洗浄ＳＷ）をＯＮすると、洗浄装置が始動し洗浄動作がスタートする（図２（ア）参照）。この洗浄動作のスタートの際に、制御装置２６が所定のエラー条件を検出した場合は、本発明の洗浄装置の特徴とする流量制限制御（図３（ア）参照）による動作（流量制限制御動作）に進む（図２（イ）Ｙｅｓ、図３（ア）参照）。
【００３１】
ここで、「洗浄動作のスタートの際に、制御装置２６が所定のエラー条件を検出した場合」とは、次のような２つのエラー条件のいずれかを検出した場合である。その１つは、洗浄動作スタート時に、サーミスタ３７（温度検知手段）が、例えば５０℃（本発明の「第１の上限温度」）以上の給湯温度を検知した場合である。この場合の「所定のエラー条件」は、「温度検知手段が、第１の上限温度以上を検知したこと」である。
【００３２】
他の１つは、洗浄動作スタート時に、以前の洗浄動作の際、後記するようないくつかの洗浄動作中のエラーのどれかが生じたことを制御装置２６が検出した場合である。換言すると、以前にエラー検出して停止した後の洗浄動作のスタート（エラー検出後のスタート）の際に、上記以前のエラーを検出した場合である。この場合の「所定のエラー条件」は、「以前の洗浄動作の際、いくつかのエラーのどれかが生じたこと」である。
【００３３】
上記洗浄動作中のエラー（以前の洗浄動作中のエラー）については、詳細は後記するが、例えば、図２（洗浄動作の全体のフローチャート）において、それぞれ（オ）、（キ）に示すようなエラーがあり、また、図３（流量制限制御動作のフローチャート）において、それぞれ（ク）、（ソ）、（タ）に示すようなエラーがある。
【００３４】
なお、「所定のエラー条件を検出した場合」としては、上記２つの所定のエラー条件のいずれかを検出した場合であることが好ましいが、上記２つの所定のエラー条件のいずれか１つに予め設定しておく構成も可能である。また、エラー条件として上記２つ挙げたが、上記２つのエラー条件以外に、必要に応じて、さらに他のエラー条件を採用する構成としてもよい。
【００３５】
洗浄動作のスタートの際に、エラー条件を検出しない場合（図２（イ）Ｎｏ参照）は、通常の洗浄動作（図２（ウ）参照）に進む。通常の洗浄動作では、浴槽の大きさにもよるが、本実施例では、例えば、６リットル／分程度の温水が洗浄水として供給ノズルに向けて供給される。そして、通常の洗浄動作において、サーミスタ３７が５０℃以上の給湯温度を５秒以上検出した場合に、洗浄動作が停止し、洗浄リモコンにエラー表示する（図２（エ）Ｙｅｓ、（オ）参照）。
【００３６】
また、通常の洗浄動作において、サーミスタ３７が５０℃以上の給湯温度を５秒以上検出しない場合は、通常の洗浄動作を継続する（図２（エ）Ｎｏ参照）が、サーミスタ３７が６０℃以上の温度を１秒以上検出した場合（図２（カ）Ｙｅｓ参照）に、洗浄動作が停止し、洗浄リモコンにエラーとして表示する（図２（キ））。
【００３７】
これらのエラー表示（図３（オ）、（キ））は、運転ＳＷをＯＦＦすると解除される（エラー表示が消える）。また、これらのエラー表示の後で、運転ＳＷをＯＮし、洗浄ＳＷをＯＮすると、前記のとおり、洗浄動作がスタートし、上記エラー表示された以前のエラーがスタート時のエラー条件として検出されて、図３に示すような流量制限制御（図３（ア））による動作（流量制限制御動作）に進む（図２（イ）Ｙｅｓ、図３（ア）参照）。
【００３８】
（流量制限制御動作のフロー）            
次に、図３において流量制限制御動作を説明する。流量制限制御（図３（ア））が開始すると、制御装置２６は、水量サーボ弁３６を絞るように制御し、洗浄水の供給流量を、例えば、通常の６リットル／分から、２リットル／分にする。このよう供給流量を絞ることで、ノズルからの洗浄水の噴出の勢いを抑え、しかも、配管内に残留する高温の温水を少しずつ排水し、高温の洗浄水の噴射によるやけど等の危険を防止しようとするものである。
【００３９】
流量制限制御動作が開始してから、５分経過しない場合（図３（イ）Ｎｏ参照）において、「洗浄水の流量＞０」を６０秒経過していない場合、要するに給湯器５（温水供給源）から６０秒を超える給湯がない場合（図３（ウ）Ｎｏ参照）は、強制パージ（本発明の温水排出動作の一例に相当する。）（図３（エ）参照）に進む。
【００４０】
この強制パージでは、制御装置２６から洗浄ユニット３に信号を送り、強制的に洗浄水の給湯を開始させる。しかし、あくまでも、ここでの洗浄水の給湯は、上記のとおり供給流量が、水量サーボ弁３６によって、ほぼ２リットル／分に絞られた状態で行われる。
【００４１】
強制パージにおいては、上記のとおり水量サーボ弁３６は制御装置２６によって、洗浄水の供給流量を、ほぼ２リットル／分に絞るように制御されているが、例えば、注湯電磁弁２１から洗浄ノズル２までの間の洗浄水供給管１３内に高温の温水が残留している場合等では、２リットル／分を超える洗浄水が洗浄ノズル２に供給され、それが高温の洗浄水として噴射される危険が生じる。
【００４２】
そのようなことを防止するために、流量センサ２０が、洗浄水の供給流量が、例えば４リットル／分を超えたことを検知し（図３（オ）Ｙｅｓ参照）、かつ４７℃（第２の上限温度）以上の給湯温度を検知した場合（（図３（カ）Ｎｏ参照）で、しかもはそれが２０秒連続経過して検知している場合（図３（キ）Ｙｅｓ参照）は、洗浄動作が停止し、洗浄リモコンにエラーとして表示がされる（図３（ク））。
【００４３】
なお、上記流量の検知において、４リットル／分を超えていない場合（図３（オ）Ｎｏ参照）は、流量制限制御動作のスタート（図３（ア））に戻る。このように流量制限制御のスタートに戻る動作を、図３では「Ｒ」として示す。また、上記図３（カ）において、４７℃（第２の上限温度）未満の温度を検知するような場合（図３（カ）Ｙｅｓ参照）もＲに示すように、流量制限制御のスタート（図３（ア））に戻る。さらに、上記図３（キ）において、給湯温度の検知を２０秒連続経過していない場合（図３（キ）Ｎｏ参照）においてもＲに示すように、流量制限制御のスタート（図３（ア）参照）に戻る。
【００４４】
そして、流量制限制御が開始してから、５分経過しない場合（図３（イ）Ｎｏ参照）において、洗浄水の流量＞０を６０秒経過している場合、要するに給湯器５から６０秒を超える給湯があった場合（図３（ウ）Ｙｅｓ参照）は、強制パージ終了後の動作（図３（ケ）参照）に進む。
【００４５】
この強制パージ終了後の動作において、４７℃未満の温度を検知した場合（図３（コ）Ｙｅｓ参照）で、しかもはそれが５秒連続経過して検知している場合（図３（サ）Ｙｅｓ参照）は、通常制御（図３（シ））の状態となり、通常の洗浄動作（図２（ウ））に進む。そして、水量サーボ弁３６で絞られていた洗浄水の供給量も６リットル／分になり、通常の洗浄動作が行われる。
【００４６】
上記４７℃未満の温度を検知した場合（図３（コ）Ｎｏ参照）であるが、それが５秒連続経過して検知されない場合（図３（サ）Ｎｏ参照）は、Ｒに示すように流量制限制御のスタート（図３（ア））に戻る。
【００４７】
強制パージ終了後の動作において、４７℃以上の給湯温度を検知した場合（図３（コ）Ｎｏ参照）であり、しかも、流量センサ２０が洗浄水の供給流量が、例えば、４リットル／分を超えたことを検知した場合（図３（ス）Ｙｅｓ参照）は、それが２０秒連続経過して検知すると（図３（セ）Ｙｅｓ参照）は、洗浄動作が停止し、洗浄リモコンにエラーとして表示がされる（図３（ソ））。
【００４８】
なお、図３（ス）の流量の検知において、４リットル／分を超えていない場合（図３（ス）Ｎｏ参照）は、Ｒに示すように、流量制限制御のスタート（図３（ア））に戻る。また、図３（セ）において２０秒を経過していない場合においても、Ｒに示すように、流量制限制御のスタート（図３（ア））に戻る。
【００４９】
流量制限制御がスタートしてから５分経過した場合（図３（イ）Ｙｅｓ参照）は、洗浄動作が停止し、洗浄リモコンにエラーとして表示がされる（図３（タ））。要するに、洗浄動作のスタートの際に、エラー条件が検出された場合に行われる流量制限制御動作（図３参照）では、５分以内に図３（イ）→（ウ）→（コ）→（サ）→（シ）に示すようにして通常の動作に進まない場合は、エラーとなるということである。
【００５０】
以上の流量制限制御動作の特徴は、５０℃以上の温度（本発明の「第１の上限温度」）を検知してエラーとなった場合には、洗浄動作がスタートした際にそのエラーを検知し、流量制限制御動作に進み、流量制限制御を開始してから５分間はサーボ弁で洗浄水の流量を２リットル／分に制限して少しずつ温水を供給し、温水配管内の残留温水を排水し、流量制限制御を開始してから６０秒経過後に、４７℃（本発明の「第２の上限温度」）未満の給湯温度を５秒連続経過して検知した場合は、洗浄動作についての通常制御の状態になり、通常の洗浄動作に進ませるということである。これにより、洗浄動作のスタートの際の高温の洗浄水の噴射によるやけど等の危険を防止できる。
【実施例２】
【００５１】
本発明の実施例２について図５を参照して説明する。実施例２の洗浄装置は、実施例１とほぼ同じ構成であるが、実施例１の構成に加えて、さらに、２種類の温水温度制御モードを自動的に切替える温水温度制御モード切替手段を備えている構成を特徴とする。ここで、２種類の温水温度制御モードとは、次に説明する「第１の温水温度制御モード」（本発明の「第１の制御モード」）と「第２の温水温度制御モード」（本発明の「第２の制御モード」）である。
【００５２】
第１の温水温度制御モードは、給湯器自体が温水温度管理手段を備えていない構成において、実施例１で説明したとおりの図２及び図３の洗浄動作を行うモードである。他方、第２の温水温度制御モードは、給湯器自体が温水温度管理手段を備えており、給湯器自体の温水温度管理手段において、洗浄水の温度を管理するモードである。
【００５３】
ここで、給湯器自体の温水温度管理手段とは、浴槽の自動洗浄動作を行わせる場合に、やけどの危険があるような高温の温水を洗浄水として洗浄ノズル２に供給しないように温度管理する手段である。このような給湯器自体の温水温度管理手段は、各メーカの各機種の給湯器によりそれぞれ異なるものであり、温水温度管理手段及びそれによる第２の温水温度制御モードの具体的内容ついては、ここでは説明はしない。
【００５４】
実施例２の洗浄装置では、給湯器５と制御装置２６が信号線で接続し、実施例１に説明した制御装置２６の機能に加えて、給湯器５がやけどを防止用の制御手段を備えた構成であるか否かを判別し、該判別に応じて第１の温水温度制御モードと第２の温水温度制御モードとを切り替える判別切替手段を設けている。このような判別切替手段を図５において説明する。
【００５５】
この切替手段は、実際は制御装置２６の記憶部３２に搭載されているソフトによって、図５のフローチャートに示すように動作するものである。制御装置２６は、通常は第１の温水温度制御モードで洗浄動作を行うように予め設定（デフォルト）されている。要するにデフォルト条件は、第１の温水温度制御モードである。
【００５６】
洗浄装置付き浴槽の新たな設置や交換の際に、制御装置２６と給湯器５を信号線で接続し、洗浄装置付き浴槽及び給湯器等の機器全体の電源（洗浄装置のスイッチSWと区別する意味で「設置電源」という）を投入する。その投入の際（図５（ア））に、給湯器５から特に信号がない場合（図５（イ）Ｎｏ参照）は、予めデフォルト条件として設定されている第１の温水温度制御モードが切り替わることがない（５（ウ））。よって、洗浄リモコン１０を操作して洗浄動作を開始させると、実施例１に説明したとおりの第１の温水温度制御モードに従って洗浄動作が行われる。
【００５７】
しかし、設置電源を投入した際（図５（ア））に、給湯器５から信号が入力された場合（図５（イ）Ｙｅｓ参照）は、デフォルト条件である第１の温水温度制御モードから第２の温水温度制御モードに切り替わる（図５（エ））。
【００５８】
そして、設置電源をＯＦＦしてリセットしない場合（図５（オ）Ｎｏ参照）は、それ以降は、洗浄リモコンを操作して洗浄動作を開始させると、第２の温水温度制御モードに従って給湯器５の温水温度管理手段により洗浄動作が行われる。
【００５９】
第２の温水温度制御モードに切り替えられた状態において、設置電源をＯＦＦしてリセットした場合（図５（オ）Ｙｅｓ参照）には、第２の温水温度制御モードからデフォルト条件である第１の温水温度制御モードに切り替わる。
【００６０】
実施例２の制御装置は、以上の構成であるから、給湯器が温水温度管理手段を備えていない機種、備えている機種に応じて自動的に第１の温水温度制御モードと第２の温水温度制御モードに切り替えることが可能であり、給湯器の機種に応じて、それぞれのやけど防止用制御機能を発揮させることが可能となる。
【００６１】
以上、本発明に係る洗浄装置を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６２】
本発明に係る洗浄装置の構成は、上記のとおりであるから、特にやけど防止用制御手段を備えていない給湯器を利用する洗浄装置に有用である。
【図面の簡単な説明】
【００６３】
【図１】本発明の洗浄装置の実施例１において、洗浄ノズルに洗浄水を供給する全体構成を説明するブロック図である。
【図２】本発明の実施例１の洗浄装置の制御装置による洗浄動作の全体のフローチャートである。
【図３】本発明の実施例１の洗浄装置の制御装置による洗浄動作における、やけど防止のための全体の流量制限制御動作のフローチャートである。
【図４】本発明の実施例１の制御装置のブロック図である。
【図５】本発明の実施例２の温水温度制御モードの判別切替手段の動作のフローチャートである。
【符号の説明】
【００６４】
１  浴槽                                             
２  洗浄ノズル                                       
３  洗浄ユニット                                     
４  洗剤タンク（洗剤供給部）                                   
５  給湯器（温水供給源）                                       
６  水栓                                             
７  水道管                                           
８  追い焚き用の配管                                 
９  浴槽用供給管                                     
１０  洗浄リモコン                                   
１１  浴室リモコン                                   
１２  台所リモコン                                   
１３  洗浄水供給管                                     
１４  ベンチュリ                                      
１５  温水供給管                            
１７  洗浄ユニットの水通路部                          
１８  フィルタ                                        
１９  サーミスタ付き水量サーボ弁                                     
２０  流量センサ                                      
２１  注湯電磁弁                                      
２２、  ２４  逆止弁                                     
２３  縁切り弁
２５  洗剤電磁弁                                      
２６  制御装置                                       
２７  フロートスイッチ 
２８  洗剤供給管
３０  信号入力部
３１  ＣＰＵ
３２  記憶部
３３  タイマ
３４  信号出力部
３５  データバス
３６  水量サーボ弁（流量調整手段）
３７  サーミスタ（温度検知手段）
【図１】
2010099194.tif 000003
【図２】
2010099194.tif 000004
【図３】
2010099194.tif 000005
【図４】
2010099194.tif 000006
【図５】
2010099194.tif 000007